(57)【要約】【課題】  記録装置に対して読取装置を安定して保持するために有利な技術を提供すること。【解決手段】  記録装置と読取装置とを有する記録システムであって、記録装置は、記録媒体にプリントを行うプリント部が内部に配置された筐体を有し、筐体は、プリントが行われた記録媒体を排出する排出口を備える前面部と、前面部と対向する背面部と、前面部と背面部とをつなぐ側面部を備え、記録システムは、筐体と少なくとも一端で接続し、筐体の上方で読取装置を保持する保持部を有し、保持部は、背面部に固定する第一の固定部材と、側面部に固定する第二の固定部材とを有することを特徴とする。【選択図】  図５
2020167593.tif 000002
【特許請求の範囲】
【請求項１】
記録装置と読取装置とを有する記録システムであって、
前記記録装置は、
記録媒体にプリントを行うプリント部が内部に配置された筐体を有し、
前記筐体は、前記プリントが行われた記録媒体を排出する排出口を備える前面部と、前記前面部と対向する背面部と、前記前面部と前記背面部とをつなぐ側面部を備え、
前記記録システムは、
前記筐体と少なくとも一端で接続し、前記筐体の上方で前記読取装置を保持する保持部を有し、
前記保持部は、前記背面部に固定する第一の固定部材と、前記側面部に固定する第二の固定部材とを有することを特徴とする記録システム。
【請求項２】
前記第二の固定部材は、前記側面部における奥行方向に延在し、前記奥行方向に沿った複数の部分に固定することを特徴とする請求項１に記載の記録システム。
【請求項３】
前記第二の固定部材は、前記側面部と共締めされることにより固定する請求項１または２に記載の記録システム。
【請求項４】
第二の固定部材は、前記筐体の上面で第一の固定部材と接続されることを特徴とする請求項１から３のいずれか１項に記載の記録システム。
【請求項５】
第二の固定部材は、前記筐体の上面における端部で前記筐体に固定することを特徴とする請求項４に記載の記録システム。
【請求項６】
第二の固定部材は、前記筐体の上面において互いに対向する２つの側面部材と該側面部材同士をつなぐ底面部材を含んで構成されている特徴とする請求項４または５のいずれか１項に記載の記録システム。
【請求項７】
前記読取装置に対する入力指示を受け付ける操作部と、
前記操作部と前記読取装置とを電気的に接続するケーブルを更に有し、
前記二の固定部材を介して前記ケーブルが配線されていることを特徴とする請求項１から６のいずれか１項に記載の記録システム。
【請求項８】
前記操作部が、前記筐体の側面よりも内側に位置する第１の位置と前記筐体の側面よりも外側に位置する第２の位置との間で、前記第二の固定部材に対して回動可能に保持されていることを特徴とする請求項７に記載の記録システム。
【請求項９】
記録媒体にプリントを行うプリント部が内部に配置された筐体を有し、前記筐体は、前記プリントが行われた記録媒体を排出する排出口を備える前面部と、前記前面部と対向する背面部と、前記前面部と前記背面部とをつなぐ側面部を備える記録装置と読取装置とを有する記録システムで用いられる読取装置であって、
前記読取装置は、前記筐体と少なくとも一端で接続し、前記記録装置の上方で前記読取装置を保持する保持部を有し、
前記保持部は、前記背面部に固定する第一の固定部材と、前記側面部に固定する第二の固定部材とを有することを特徴とする読取装置。
【請求項１０】
記録媒体にプリントを行うプリント部が内部に配置された筐体を有し、前記筐体は、前記プリントが行われた記録媒体を排出する排出口を備える前面部と、前記前面部と対向する背面部と、前記前面部と前記背面部とをつなぐ側面部を備える記録装置と読取装置とを有する記録システムで用いられる保持装置であって、
前記筐体と少なくとも一端で接続し、前記記録装置の上方で前記読取装置を保持する保持部を有し、
前記保持部は、前記背面部に固定する第一の固定部材と、前記側面部に固定する第二の固定部材とを有することを特徴とする保持装置。
【発明の詳細な説明】
【技術分野】
【０００１】
本発明は、記録装置と読取装置を有する記録システム、読取装置、読取装置の保持装置に関する。
【背景技術】
【０００２】
現在、大判サイズのシートへのプリントを行うプリント機能に特化した単機能のプリント装置や複数の処理機能を備えた複合機が知られている。特許文献１には、プリント装置に対して、プリント装置とは別体の可搬型スタンドで原稿を読み取る読取装置を独立して保持しプリント装置と隣接して配置する記録システムが開示されている。当該記録システムにより、ユーザはプリント装置と読取装置とを選択的に使用することが可能となる。
【先行技術文献】
【特許文献】
【０００３】
【特許文献１】特開２０１６−００５８９５号公報
【発明の概要】
【発明が解決しようとする課題】
【０００４】
ところで、特許文献１に示すように、別体の可搬型スタンドを用いてプリント装置と読取装置とを隣接して配置した場合、記録システム全体の設置面積が大きくなるという課題がある。このため、設置面積を小さくするために、プリント装置に対して読取装置を直接または間接的に固定して保持する構成が望ましい。しかしながら、特許文献１では、プリント装置に対して読取装置を固定して保持するための保持機構については何ら検討されていなかった。このため、保持機構によっては、プリント装置に対し読取装置を安定して保持できないおそれがあった。
【０００５】
そこで、本発明は、プリント装置に対して読取装置を安定して保持するために有利な技術を提供することを目的とする。
【課題を解決するための手段】
【０００６】
上記の目的を達成するために、本発明は、記録装置と読取装置とを有する記録システムであって、前記記録装置は、記録媒体にプリントを行うプリント部が内部に配置された筐体を有し、前記筐体は、前記プリントが行われた記録媒体を排出する排出口を備える前面部と、前記前面部と対向する背面部と、前記前面部と前記背面部とつなぐ側面部を備え、前記記録システムは、前記筐体と少なくとも一端で接続し、前記筐体の上方で前記読取装置を保持する保持部を有し、前記保持部は、前記背面部に固定する第一の固定部材と、前記側面部に固定する第二の固定部材とを有することを特徴とする。
【発明の効果】
【０００７】
本発明により、記録装置に対して読取装置を安定して保持するために有利な技術を提供することが可能となる。
【図面の簡単な説明】
【０００８】
【図１】第一の実施形態における記録システムを示す斜視図。
【図２】記録装置の断面図。
【図３】読取装置の断面図。
【図４】記録システムのハードウェア構成を示すブロック図。
【図５】保持部を示す斜視図。
【図６】第一の固定部材を示す斜視図および側面図。
【図７】回動アームと中継部材の連結状態を示す斜視図。
【図８】保持部材とモニタアームの連結状態を示す斜視図。
【図９】保持部の記録装置への連結状態を示す斜視図。
【図１０】表示操作部の配置を示す上面図。
【図１１】カバーが開いた状態での表示操作部の配置を示す斜視図および上面図。
【図１２】保持部における電気ケーブルの配線状態を示す斜視図。
【図１３】第二の実施形態における保持部を示す斜視図。
【図１４】第三の実施形態における保持部を示す斜視図。
【図１５】第三の実施形態における保持部を示す斜視図。
【発明を実施するための形態】
【０００９】
以下、本発明の実施形態について図面を参照しつつ説明する。なお、各図面を通して同一または対応部分には同一符号を付す。また、図中、ＸとＹは水平面において互いに直交する２つの軸線方向を示し、Ｚは鉛直方向を示している。さらに、Ｙ１、Ｙ２はＹ軸線方向と平行する方向であって、Ｙ１は後述の読取装置３における原稿の搬送方向を、Ｙ２はＹ１に対する逆方向をそれぞれ示している。また、Ｚ１は鉛直方向下方を、Ｚ２は鉛直方向上方を示している。
【００１０】
＜用語の説明＞
この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１１】
また、「記録媒体」とは、一般的な記録装置で用いられる紙のみならず、広く、布、プラスチック・フィルム、金属板、ガラス、セラミックス、木材、皮革等、インクを受容可能なものも表すものとする。なお、以下の実施形態では記録媒体がロールシート（または単に「シート」といという場合もある）である場合について説明するがこれに限定されるものではない。
【００１２】
（第一の実施形態）
第一の実施形態における記録システムを示す斜視図である。図１において、記録システム１は、記録装置２と、読取装置３と保持部９９とを有する。
【００１３】
記録装置２は、シートへのプリントを行う機能を備える。記録装置２は、各機構を保持する本体部４と、本体部４をＺ方向における所定の位置に保持する脚部５とを有する。本体部４は、略直方体形状の筐体部４１の内部に各機構を保持しており、筐体部４１の外装には、操作パネル６と、排出口７０と、インクタンクカバー８０とが設けられている。操作パネル６は、種々の設定操作やコマンドの入力、及び記録装置２に関する情報の確認等を行うための機能を備える。排出口７０は、画像がプリントされたシートを排出する開口およびその周辺部分を含む。なお、以下の実施形態において、筐体部４１における排出口７０が設けられた面を「筐体部４１の前面」とし、前面と対向する面を「筐体部４１の背面」とする。また、排出口７０側から見て筐体部４１の前面と背面とをつなぐ面は、それぞれ筐体部４１の上面、下面、側面（もしくは右側面、左側面）とする。インクタンクカバー８０は、開状態においてインクタンクにアクセス可能となり、ユーザによりインクタンクを交換することができる。なお、図１では、インクタンクカバー８０は、閉状態である。なお、記録装置２の具体的な構成については、図２を用いて詳細に説明する。
【００１４】
読取装置（原稿読取装置）３は、原稿に記載された画像などを読み取る機能を備える。なお、読取装置３の具体的な構成については、図３を用いて詳細に説明する。
【００１５】
保持部９９は、筐体部４１と少なくとも一端で接続され、記録装置２の上方で読取装置３を保持する機能を備える。保持部９９は、排出口７０をＹ１方向から見て筐体部４１の背面に固定する第一の固定部材１００と、排出口７０をＹ１方向から見て筐体部４１の側面に固定する第二の固定部材１８０を備えている。第二の固定部材１８０は、中継部材１３０と側面固定部材１４０から構成される。具体的な構成については、図５において詳細に説明する。つまり、保持部９９は、単独で読取装置３を保持する保持装置として機能すると言える。
【００１６】
表示操作部１６０は、読取装置３に対する読取動作等の入力指示を行うためのボタン等の操作部と、読取装置３の状態や画像などを表示するための表示部とを有している。なお、表示操作部１６０は、表示部あるいは操作部の一方の機能のみを有していてもよい。
【００１７】
次に、図２を参照して、記録装置２の概略構成について説明する。図２は本実施形態における記録装置２の断面図である。記録装置２は、ロールシート２０１から供給されたシートに画像をプリントすることが可能である。以下、記録装置２の内部構成を説明しつつ、シートに画像をプリントするプリント動作を説明する。
【００１８】
ロールシート２０１に画像をプリントする場合、ユーザは、まずロールシート２０１の中心孔にロールホルダ７を装着し、そのロールホルダ７を記録装置２に設けられたロール保持部７１に回動自在に保持させる。ロールホルダ７をロール保持部７１に保持させた後、ユーザは、ロールシート２０１から引き出したシートを、下ガイド８に沿って下流側へと送る。ここでロールシート２０１の先端がローラ対７２に達すると、不図示のモータによりローラ対７２が回転する。これによりシートは給紙パス内を搬送され、搬送ローラ９と従動ローラ１０とのニップ部に達すると、搬送ローラ９が搬送モータ５１（図４にて図示）によって回転する。これによりシートは搬送ローラ９と従動ローラ１０の間に挟持される。この後、シートは、搬送ローラ９の回転によってプラテン１１へと搬送される。
【００１９】
プラテン１１は、シートを裏面から保持してシートを平坦に状態に保ち、記録ヘッド１３とシートとの間にプリントに適した間隙を保つ。プラテン１１でのシートの浮上、撓みなどを防ぐため、プラテン１１には、シートを吸引するための複数の吸気孔が形成されている。吸引孔はダクト１５を介して吸引ファン５２に連通している。吸引ファン５２を駆動することにより、プラテン１１の吸気孔には負圧が発生し、プラテン１１上を通過するシートは吸引孔にて吸引されながら、プラテン１１上を移動する。
【００２０】
プリント部９０は、キャリッジ１２と記録ヘッド１３を有し、記録媒体にプリントを行う。キャリッジ１２は、キャリッジシャフト１４に沿ってＸ方向（主走査方向）に往復移動する。キャリッジ１２には記録ヘッド１３が搭載されている。記録ヘッド１３は、インクを吐出する吐出口が、Ｘ方向と交差する方向（本実施形態では直交する方向（Ｙ方向））に沿って複数配列されている。なお、本実施形態における記録ヘッド１３は、Ｘ方向へ移動しながらシートへのプリントを行う、所謂シリアル型のプリンタを構成しているがこれに限定されるものではない。例えば、記録ヘッド１３はラインヘッドであってもよい。
【００２１】
キャリッジ１２と共にＸ方向へと移動する間に、記録ヘッド１３の吐出口からは記録データに従ってインクが吐出される。その結果、シートには、吐出口の配列数に相当する幅の画像（１バンド分の画像）がプリントされる。１バンド分の画像がプリントされると、シートは搬送ローラ９の回転によってＹ方向へと所定の距離だけ搬送される。この後、再びキャリッジ１２の移動と記録ヘッド１３によるインクの吐出が行われ、次のバンド分の画像がプリントされる。このシートへの記録動作とシートの搬送動作とを繰り返すことにより、シートには所定の画像（例えば、１ページ分の画像）がプリントされる。
【００２２】
排出口７０は、記録ヘッド１３によりプリントが行われたシートを排出する。排出口７０は、記録ヘッド１３より搬送方向（Ｙ方向）下流側に設けられている。また、排出口７０は、ユーザがアクセスしやすい位置であることが好ましく、筐体部４１の前面側に設けられている。
【００２３】
記録ヘッド１３へのインクの供給はインクが貯蔵されたインクタンクからチューブを使い記録ヘッド１３へと供給される。インクタンクカバー８０を開放するとインクタンク８１（図１１で図示）にアクセス可能となり、ユーザはインクタンクを交換することができる。
【００２４】
以上のように、記録装置２内には、記録ヘッド１３より搬送方向（Ｙ方向）下流側にカッタ１６が設けられ、ロールシート２０１から引き出されたシートを所定長さに切断することが可能になっている。
【００２５】
記録装置２の筐体部４１の前面側の上方部には、記録ヘッド１３の上方を覆う上部カバー２４が、回転中心２４ｂを中心に回転可能に設けられている。このため、上部カバー２４は、図２に示すように記録ヘッド１３の上方を覆う閉塞位置と、記録ヘッド１３を外部に開放する開放位置とに回転移動することができる。
【００２６】
さらに、記録装置２の筐体部４１の背面には、各機構を制御するための電源や制御回路を内部に収納するための基板収納部材９５が設けられている。基板収納部材９５は、内部に空間が設けられ、断面が略ロの字形状の板金であり、記録装置２のＸ方向に延在する略直方体形状の部材である。基板収納部材９５は、記録装置２の他の部材と比較して高い剛性を有している。そのため、保持部９９を固定するのに好適である。また、記録装置２の上面の後方には、本体部４の外殻をなす外装部品を取り付けるための固定板金９１がある。固定板金９１は、コの字型の断面形状を持つ板金で、記録装置２のＸ方向に延在する略直方体形状の部材である。固定板金９１は、記録装置２の他の部材と比較して高い剛性を有している。そのため、保持部９９を固定するのに好適である。
【００２７】
次に、図３を参照して、本実施形態における読取装置３の概略構成を説明する。なお、図３は図１に示す読取装置３の断面図である。図３において、読取装置３は、原稿２０２を搬送しながら、読取手段３８によって画像の読み取りを行う。この読取装置３には、原稿を挿入する挿入口３Ａから原稿を排出する排出口３Ｂに至る搬送経路３Ｐが設けられている。挿入口３Ａから挿入された原稿は、この搬送経路３Ｐに沿って搬送される。読取装置３には、挿入口３Ａの下縁部から前方（図３において左方）に突出する平板状の原稿セット部３１が設けられている。原稿セット部３１は挿入口３Ａと略同一の幅（Ｘ方向の長さ）を有しており、原稿の読取面とは反対側の面である非読取面側から原稿を保持し、挿入口３Ａへの原稿の挿入を案内する。また読取装置３の背面側（図３において右側）には、原稿排出口から排出された原稿を、読取装置３の上面に案内する湾曲した原稿排出部３９が設けられている。搬送経路３Ｐにおける上流側には上流側搬送手段３４が設けられ、下流側には下流側搬送手段３７が設けられている。これらの上流側搬送手段３４、下流側搬送手段３７により搬送経路３Ｐに沿って原稿が搬送される。上流側搬送手段３４は上流側搬送ローラ３２とこれに対向して設けられた上流側従動ローラ３３とにより構成される。下流側搬送手段は、下流側搬送ローラ３５と、これに対向して設けられた下流側従動ローラ３６とにより構成される。
【００２８】
上流側搬送手段３４と下流側搬送手段３７との間には原稿の読取を行う読取手段３８が設けられている。読取手段３８は使用される大判の原稿に対応する幅に受光素子を配列したＣＩＳ（Ｃｏｎｔａｃｔ  Ｉｍａｇｅ  Ｓｅｎｓｏｒ）によって構成されている。但し、ＣＣＤ等を用いた他のリニアセンサを用いることも可能である。
【００２９】
読取装置３によって原稿の読取を行う場合、ユーザは、原稿２０２の前方部分を原稿セット部３１に載せ、原稿セット部３１の案内面（上面）３１ａに沿って挿入口３Ａに挿入する。原稿２０２の先端が挿入口３Ａから搬送経路３Ｐ内に挿入されると、挿入口３Ａの近傍に設けられた上流原稿センサ６１が原稿を検出し、原稿２０２が挿入口３Ａに挿入されたことを検出する。原稿２０２の先端が上流側搬送ローラ３２と上流側従動ローラ３３とからなる上流側搬送手段３４のニップ部に達すると、図４に示す原稿搬送モータ５３によって上流側搬送ローラ３２が正方向に回転する。これにより、原稿２０２は、上流側搬送ローラ３２と上流側従動ローラ３３との間に侵入し、挟持される。
【００３０】
なお、本実施形態では上流原稿センサ６１が原稿２０２の先端を検出してから、上流側搬送ローラ３２を回転駆動するまでに遅延時間を設けている。この遅延時間は、原稿２０２の先端の幅方向全域が、上流側搬送手段３４のニップ部に突き当たるまでの待機時間に相当する。原稿２０２の先端全域がニップに突き当たった状態で上流側搬送ローラ３２を回転することにより、上流側搬送ローラ３２に対して原稿２０２の先端が斜めにセットされた状態で搬送されることを抑制することができる。遅延時間については、０．５〜２秒程度が適している。但し、上流原稿センサ６１と上流側搬送手段３４との間の距離によって遅延時間の最適値は変化する。
【００３１】
上流側搬送ローラ３２が回転駆動されることにより、原稿２０２は読取手段３８へと搬送される。その後、原稿２０２は、上流側搬送ローラ３２と同様に原稿搬送モータ５３によって正方向に回転する下流側搬送ローラ３５と下流側従動ローラ３６とに挟持され、下流原稿センサ６２が原稿２０２を検出するまで搬送される。その間、読取手段３８は、プレ検出動作として読取手段３８の読取領域を通過する原稿２０２の読取動作を実行する。この読取動作によって原稿２０２の幅や傾きに関する情報が取得される。プレ検出動作が終了すると、原稿搬送モータ５３により上流側搬送ローラ３２と下流側搬送ローラ３５を逆方向に回転させて原稿２０２を上流側へと戻し、スタンバイ状態とする。なお、この原稿の戻し動作では、スタンバイ状態での原稿２０２の先端位置が、搬送方向（Ｙ１方向）において、上流側搬送手段３４のニップ部より下流側であり、且つ、読取手段３８の読取領域より上流側となるように制御を行う。
【００３２】
プレ検出動作が終了した後、表示操作部１６０等によって読取動作開始指令が入力されると、読取手段３８による原稿読取動作を実行しながら上流側搬送手段３４と下流側搬送手段３７とによって原稿２０２は原稿搬送方向Ｙ１へ搬送される。上流原稿センサ６１が原稿２０２の後端を検出したとき、原稿２０２の後端は、搬送方向（Ｙ１方向）において、読取手段３８による読取領域より下流側であり、且つ、下流側搬送手段３７のニップ部より上流側となる位置まで搬送される。この状態で原稿読取動作は終了する。その後、表示操作部１６０等から排出動作開始指令が入力されると、原稿２０２は下流側搬送手段３７によって再び搬送され、下流側搬送手段３７の挟持から解放される。これにより、原稿２０２を取り出すことが可能になる。なお、原稿排出部３９を通過した原稿２０２は、搬送方向（Ｙ１方向）とは逆方向である搬送方向Ｙ２へと反転搬送され、読取装置３の上面側に排出される。このためユーザは、挿入口３Ａに原稿２０２を挿入する操作と読取済みの原稿２０２を取り出す操作とを同一方向（前面側）から行うことが可能になり、良好な操作性が得られる。本実施形態では、原稿読取動作終了後に、下流側搬送手段３７によって原稿２０２を挟持した状態で、原稿２０２の搬送動作を一旦停止する。しかし、原稿読取動作終了後に原稿２０２の搬送動作を停止させず、下流側搬送手段３７の挟持から解放されるまで搬送動作を行っても良い。
【００３３】
次に、図４に示すブロック図を参照して、本実施形態に係る制御系の概略構成を説明する。図４は、記録システム１のハードウェア構成を示すブロック図である。記録システム１には、ホスト装置４０１が接続されており、ホスト装置４０１で生成した記録データや種々の制御コマンドが制御部４０２に送信される。制御部４０２は、主に、主制御部４０３、記録制御部４０４を有している。主制御部４０３は、ＣＰＵ４０６、ＲＯＭ４０７及びＲＡＭ４０８を備えている。ＣＰＵ４０６は、ＲＯＭ４０７に記憶された各種プログラムやパラメータに従って、ＲＡＭ４０８をワークエリアとして用いながら、種々の演算を行ない、記録システム１を統括的に制御する。記録制御部４０４は、主制御部４０３の指示に基づき、搬送モータ５１、吸引ファン５２、キャリッジモータ５４、記録ヘッド１３及びカッタ１６などの制御を行う。
【００３４】
原稿読取制御部４０５は、表示操作部１６０への入力に基づき原稿搬送モータ５３及び読取手段３８等の制御を行う。
【００３５】
次に、図５を参照して、読取装置３を記録装置２に対して保持する保持部９９について説明する。図５は、読取装置３と表示操作部１６０と保持部９９を後方から見た斜視図である。なお、図５では、記録装置２は簡略化のため省略している。保持部９９は、第一の固定部材１００と、第二の固定部材１８０とを少なくとも含んで構成されている。ここで第二の固定部材１８０は、中継部材１３０、側面固定部材１４０と、を少なくとも含んで構成されている。保持部９９は、さらに、ベースカバー１１０、回動アーム１２０、モニタ保持部１５０を有する。
【００３６】
第一の固定部材１００は、保持部９９を背面から見た場合に、略Ｔ字の形状を有している。また、第一の固定部材１００は、Ｘ方向に延在し、本体部４と固定されるベース上部１１１（図６にて図示）と、Ｙ方向に延在し、脚部５に固定されるベース下部１１２（図６にて図示）とを備える。第一の固定部材１００は、回動アーム１２０を介して読取装置３を保持している。つまり、第一の固定部材１００は、少なくともその一端が記録装置２の筐体部４１の背面に固定されるとともに、読取装置３を保持する機能を備える。第一の固定部材１００と記録装置２および回動アーム１２０との連結方法については図６を用いて詳細に説明する。ベースカバー１１０は、第一の固定部材１００の背面を覆う機能を備える。
【００３７】
回動アーム１２０は、回転軸Ａ１を持ち、読取装置３をＲ１方向に回動可能に保持する機能を備える。回動アーム１２０は、先端に読取装置３を保持する。つまり、ユーザは、回動アーム１２０に読取装置３を固定した状態において、回動アーム１２０を操作することにより読取装置３をＡ１軸で規定される複数の位置に保持することができる。
【００３８】
中継部材１３０は、一端で第一の固定部材１００と接続され、他の一端で側面固定部材１４０と接続される。側面固定部材１４０は、記録装置２の筐体部４１の側面で固定される。また、中継部材１３０は、モニタ保持部１５０および表示操作部１６０を保持する機能を更に備える。
【００３９】
モニタ保持部１５０は、回転軸Ａ２を持ち、中継部材１３０に対しＲ２方向に回動可能に保持する機能を備える。モニタ保持部１５０には、表示操作部１６０が取り付けられる。表示操作部１６０は、モニタ保持部１５０に対して、回転軸Ａ３と回転軸Ａ４を持ち、Ｒ３方向およびＲ４方向に回動可能に保持されている。なお、第二の固定部材１８０における中継部材１３０と側面固定部材１４０は、それぞれ別の部材としているが、これに限られるものではなく、一体構成の部材であってもよい。
【００４０】
図６は、第一の固定部材１００の斜視図および断面図である。図６（ａ）は、記録装置２の排出口７０側（筐体部４１の前面側）から見た第一の固定部材１００の斜視図である。図６（ｂ）は、Ｘ方向から垂直視した場合における第一の固定部材１００の側面図である。
【００４１】
第一の固定部材１００は、記録装置２の筐体部４１と固定するための開口が設けられた連結部１０１、１０２を有する。更に、第一の固定部材１００は、記録装置２の脚部５と固定するための開口が設けられた連結部１０３を有する。そして、第一の固定部材１００は、回動アーム１２０と連結する連結部１０４と、中継部材１３０と連結する連結部１０５を有する。
【００４２】
第一の固定部材１００は、略Ｔ字型の形状からなり、Ｘ方向に延在する略直方体形状のベース上部１１１と、Ｙ方向に延在する略直方体形状のベース下部１１２からなる。連結部１０４はＸ方向に長辺を持つ略直方体形状であり、ベース上部１１１とＹ方向に隣接して配置されている。
【００４３】
連結部１０４は、回動アーム１２０を回動可能に保持するために回転軸部１２５（図７にて図示）を通すための開口部が設けられている。連結部１０５は、後述するケーブルを通すための開口部１０６と、中継部材１３０と連結するための開口部１０７，１０８，１０９が設けられている。中継部材１３０は、開口部１０７、１０８、１０９をビス止めすることより第一の固定部材１００に取り付けられる。第一の固定部材１００の内部には、空洞が設けられ、ベースカバー１１０によりＹ１方向側から覆うことができる。
【００４４】
次に、図７を用いて、第一の固定部材１００と、回動アーム１２０および中継部材１３０との連結状態について説明する。図７は、回動アーム１２０と中継部材１３０の連結状態を示す斜視図である。
【００４５】
回動アーム１２０の第一の固定部材１００側（Ｙ１側）の端部には、回転軸部１２５を通すための開口が設けられている。第一の固定部材１００の連結部１０４の開口と、回動アーム１２０の開口に回転軸部１２５を通すことにより、回動アーム１２０は第一の固定部材１００にＲ１方向に回動可能に保持される。回動アーム１２０の第一の固定部材１００側と反対側（Ｙ２側）の端部には読取装置３（図７で不図示）が取り付けられる。読取装置３は、回動アーム１２０が回動することにより原稿を読み取ることが可能な読取位置と、記録装置２から上方（Ｚ２方向）に退避した退避位置に移動可能である。なお、読取装置３を回動可能に固定しているため、回動アーム１２０は剛性が比較的高く、またユーザの操作性の向上のため軽量の材料が好適である。そのため、回動アーム１２０の形状は下面側（Ｚ１方向）が開口になったコの字形状とし、軽量かつ剛性の高い構造としている。また、回動アーム１２０の材質は、鋼板やアルミを用いられる。
【００４６】
中継部材１３０は、上側（Ｚ２方向）が開口になったコの字の断面形状を有する。具体的には、中継部材１３０は、筐体部４１の上面において互いに対向する２つの側面部とこれらの側面部材同士をつなぐ底面部材を含んで構成されている。また中継部材１３０は、Ｚ２方向から見た場合に、略Ｌ字側の形状を有する。中継部材１３０の一方の端部には第一の固定部材１００に連結するための開口部が設けられている。中継部材１３０は、第一の固定部材１００の連結部１０５で一端が固定され、連結部１０５からＹ２方向に延在する短辺部分を有する。更に、中継部材１３０は、長辺部分と交差する方向（記録装置２のＸ１方向）に延在する長辺部分を有する。
【００４７】
次に、図８を用いて、中継部材１３０と、側面固定部材１４０およびモニタ保持部１５０との連結状態について説明する。図８は、中継部材１３０と、側面固定部材１４０およびモニタ保持部１５０との連結状態を示す斜視図である。
【００４８】
中継部材１３０の長辺部分の端部には、側面固定部材１４０と連結するための開口部１３１，１３２が設けられている。また、中継部材１３０には、モニタ保持部１５０の回動中心となる回転軸部１５１と連結するための開口部１３３が設けられている。
【００４９】
側面固定部材１４０は、記録装置２の筐体部４１の側面における奥行方向（Ｙ１方向）に延在している。側面固定部材１４０は、中継部材１３０と連結部１４３で連結し、記録装置２と連結部１４１、１４２で連結して固定する。つまり、側面固定部材１４０は、筐体部４１の上面を中継部材１３０が介在することで第一の固定部材１００と接続される。具体的には、側面固定部材１４０（すなわち第二の固定部材１８０の一部）は、記録装置２の筐体部４１の側面の奥行方向に沿った複数の部分と連結している。側面固定部材１４０は、記録装置２と複数の連結部（１４１，１４２）で連結することにより、安定して記録装置２に固定される。特に、側面固定部材１４０は、筐体部４１の側面の奥行方向に沿った複数の部分で固定されているため、ユーザが読取装置３を奥行方向に前後させる場合や、Ａ１を軸に回動させる際に、記録装置２に過剰な負荷がかからないように固定できる。また、側面固定部材１４０は記録装置２の側面で固定されているが、さらに、筐体部４１の右端部近傍の上面部分で固定してもよい。このように、筐体部４１の上面の端部と筐体部４１の側面の両方を固定することにより、記録装置２の端部を挟み込むように固定される。そのため、読取装置３の振動等に対しても安定した保持を行うことができる。
【００５０】
モニタ保持部１５０は、回転軸部１５１と、モニタ連結部１５２と、アーム部１５３と、を備える。回転軸部１５１は、中継部材１３０およびアーム部１５３と連結している。アーム部１５３は、Ｘ方向に延在する略直方体形状の部材である。モニタ連結部１５２は、表示操作部１６０およびアーム部１５３と連結する。モニタ連結部１５２は、回転軸Ａ３および回転軸Ａ４を回動中心としてＲ３およびＲ４の方向に回転可能である。
【００５１】
次に、図９を用いて、保持部９９の記録装置２への連結状態について説明する。図９は記録装置２を背面から見た斜視図である。また図９において、保持部９９のうち第一の固定部材１００と側面固定部材１４０のみを示し、それ以外の部品は省略している。
【００５２】
保持部９９は、第一の固定部材１００と側面固定部材１４０により記録装置２に対して固定される。図６で述べた通り、第一の固定部材１００は、記録装置２との連結部１０１、１０２、１０３が設けられている。また、側面固定部材１４０にも、記録装置２との連結部１４１、１４２が設けられている。第一の固定部材１００の連結部１０１は、記録装置２の筐体部４１の背面の略中央の２ヶ所にビス止めされる。第一の固定部材１００の連結部１０２、１０３は記録装置２の筐体部４１の上面における後方部の２ヶ所にビス止めされる。側面固定部材１４０の連結部１４１、１４２は、記録装置２の筐体部４１の右側面の上部中央近傍と上部後方近傍の２ヶ所にビス止めされる。ここで、各連結部が連結される位置の記録装置２側の構成について説明する。各連結部が連結される記録装置２の構成は、筐体部４１自体に存在する窪み部分である。当該窪み部分に対して第一の固定部材１００と筐体部４１、並びに側面固定部材１４０と筐体部４１が共締めされている。ここで、窪み部分は、例えば、筐体部４１部自体を組み立てるために加工された穴、凹み等である。これにより、記録装置２側に新たなに加工を加えずに保持部９９と記録装置２とを固定することが可能となる。また、連結部１０１は、記録装置２側の基板収納部材９５にビス止めされる。さらに、連結部１０２、１０３は、固定板金９１にビス止めされる。そして、連結部１４１は、固定板金９１にビス止めされる。なお、本実施形態では、保持部９９の記録装置２へのビス止め固定の個所をそれぞれ２ヶ所としているが、１カ所ないし２ヶ所よりも多くてもよい。各連結部は、記録装置２の外装において比較的高い剛性を有する部材に固定されているため、読取装置３を安定して支持することができる。なお、第一の固定部材１００は、それぞれの部材の連結方法に関して、ビス止めだけでなく、フックによる引掛け形状等の他の方法でもよい。
【００５３】
次に、図１０と図１１を用いて、表示操作部１６０の配置について説明する。図１０は、記録システム１における表示操作部１６０の近傍を示す上面図であり、ユーザが表示操作部１６０を操作する際の位置を示した図である。図１０（ａ）は、表示操作部１６０の基準位置を示す図である。図１０（ｂ）は、図１０（ａ）より表示操作部１６０をＹ２方向へ移動させた位置を示す図である。図１０は、記録システム１を上面から見た図である。
【００５４】
表示操作部１６０は、モニタ連結部１５２によりモニタ保持部１５０に取り付けられている。前述したように、モニタ連結部１５２は、矢印Ｒ３の方向に回動可能に保持されている。また、モニタ保持部１５０は、中継部材１３０に回動可能に保持されている。このため、ユーザは記録装置２の前面から操作しやすい位置及び角度に表示操作部１６０を移動して操作することができる。一方、図１０に示す表示操作部１６０の配置では、記録装置２の前面から排出口７０側からインクタンクカバー８０へのアクセスが困難である。
【００５５】
次に、図１１を用いて、インクタンクを交換する際に好適な表示操作部１６０の配置について説明する。図１１（ａ）は、インクタンクカバー８０が開いた状態の表示操作部１６０の近傍を示す上面図である。図１１（ｂ）は、インクタンクカバー８０が開いた状態の表示操作部１６０の近傍を示す斜視図である。図１１（ａ）、（ｂ）において、記録装置２は、インクタンクカバー８０が開いた状態であり、インクタンク８１にアクセス可能な状態である。図１１（ａ）に示すように、モニタ保持部１５０の回転軸部１５１がインクタンクカバー８０の正面よりも外側（Ｘ１側）に可動する。従って、ユーザは、表示操作部１６０を移動させることにより、記録装置２の前面からインクタンク８１にアクセスすることができる。
【００５６】
上述のように、表示操作部１６０は、移動可能であるので、その移動時の力は中継部材１３０と、側面固定部材１４０と、モニタ保持部１５０で受けることになる。一方で、側面固定部材１４０を記録装置２の後方（Ｙ１方向）まで延在して固定している。そのため、モニタ保持部１５０の回転軸Ａ２およびＡ３から連結部１４２までの距離を長くすることができ、記録装置２の１点に加わる力を抑制することができる。
【００５７】
次に、図１２を用いて、読取装置３と表示操作部１６０とを接続するケーブルの配線について説明する。図１２は保持部９９を背面側から見た図であり、保持部における電気ケーブルの配線状態を示す斜視図である。ここで、電気ケーブルとは、各装置を電気的に接続するケーブルを含む。
【００５８】
読取装置３には、電源ケーブル１６３と信号ケーブル１６５が接続される。電源ケーブル１６３は、第一の固定部材１００の内部に設置されている配線中継部１６６を介して外部電源と読取装置３とを接続する。当該配線により、外部電源から読取装置３に対して電力が供給される。信号ケーブル１６５は、読取装置３と表示操作部１６０とを接続する。信号ケーブル１６５は、表示操作部１６０から入力された読取装置３に関する種々の設定操作やコマンドの入力信号や、読取装置３が読み取ったデータ信号等をやりとりする。
【００５９】
次に、各電気ケーブルの配線経路について説明する。電源ケーブル１６３と信号ケーブル１６５は、回動アーム１２０の側面の開口から回動アーム１２０の内部を通って、第一の固定部材１００へと到達する。電源ケーブル１６３と信号ケーブル１６５は、第一の固定部材１００の開口部１０６を通って、第一の固定部材１００の内部に入る。次に、電源ケーブル１６３は、配線中継部１６６に接続される。一方、信号ケーブル１６５は、第一の固定部材１００の開口部１０６を通過し、中継部材１３０へと到達する。信号ケーブル１６５は、中継部材１３０のコの字の断面形状の内部に配線され、アーム部１５３を経由して、表示操作部１６０に接続される。
【００６０】
表示操作部１６０には、電源ケーブル１６２と信号ケーブル１６４が接続される。電源ケーブル１６２は、配線中継部１６６と接続されている。信号ケーブル１６４は、記録装置２と表示操作部１６０を接続し、表示操作部１６０から入力された種々の設定操作やコマンドの入力信号や、読取装置３から表示操作部１６０に送信したデータ信号を記録装置２に送信する。
【００６１】
電源ケーブル１６２と信号ケーブル１６４は、モニタ保持部１５０、アーム部１５３の内部を経由し、中継部材１３０へと到達する。中継部材１３０はコの字の断面形状をしているので、その内側に配線され、第一の固定部材１００の連結部１０５の開口部１０６より第一の固定部材１００の内部に入る。電源ケーブル１６２は、配線中継部１６６に接続される。
【００６２】
なお、電源ケーブル１６２，１６４とＡＣアダプタとさらに直列接続し、第一の固定部材１００に配線中継部１６６に接続することも可能である。表示操作部１６０の信号ケーブル１６４と配線中継部１６６から外部へ延びる中継ケーブル１６１は、それぞれ記録装置２、外部電源等に接続される。以上のように、保持部９９の内部の空間を利用して、各種ケーブルの配線や配線中継部１６６等の配置が可能となる。
【００６３】
以上、本実施形態の記録システム１によれば、記録装置２の筐体部４１と少なくとも一端で接続し、筐体部４１の上方で読取装置を保持する保持部９９を有している。そして、当該保持部は、筐体部４１の背面部で固定する第一の固定部材１００と、筐体部４１の側面部で固定する第二の固定部材１８０とを有している。そのため、記録装置に対して読取装置を安定して保持することができる。記録システム１として、記録装置２と読取装置３とを選択的に用いる場合には、記録装置２の前面、すなわち排出口７０の配置された側に固定するための部材が存在しないため、ユーザの利便性を確保しつつ、安定した保持が可能となる。
【００６４】
（第二の実施形態）
次に、図１３を用いて、第二の実施形態について説明する。図１３は、第二の実施形態における保持部２９９を示す斜視図である。第二の実施形態は、中継部材１３０が筐体部４１の上面において、両側面に向かって延在し、側面固定部材１４０により筐体部４１の両側面で固定する点で第一の実施形態と異なる。この点、第一の実施形態は、中継部材１３０が記録装置２の右側面に延在し、側面固定部材１４０で右側面のみで固定する形態だった。以上、第二の実施形態の構成により、保持部２９９は、第一の実施形態と比較して強度を向上することができる。
【００６５】
（第三の実施形態）
次に、図１４と図１５を用いて、第三の実施形態について説明する。図１４およびは、第三の実施形態における保持部２９９を示す斜視図である。第三の実施形態は、読取装置３の駆動機構が他の実施形態と異なる。なお、第一の実施形態と同一もしくは相当する部分には同一符号を付し、重複説明は省く。
【００６６】
図１４は、読取装置３と表示操作部１６０と保持部３９９（記録装置２は不図示）を後方から見た模式的斜視図である。保持部３９９は、第一の固定部材１００に一対のガイド部２２０が取り付けられ、そのガイド部２２０の先端に読取装置３が固定されている。
【００６７】
ガイド部２２０は、第一の固定部材１００の両側面に固定され、中継部材１３０よりも上側（Ｚ２方向において上）に配置されている。ガイド部２２０は、例えば、スライドレールのような多段式の案内部材から構成される。ガイド部２２０は、記録システム１の前後方向（Ｙ方向）に伸縮する部品である。このため、ユーザは、保持部３９９により読取装置３を記録装置２に対して前後に可動させることができる。このガイド部２２０により、読取装置３は、図１４に示すように前方（Ｙ２方向）に読取位置に配置することができる。一方で、記録装置２を使用する場合には、図１５に示すように、後方（Ｙ１方向）に退避した退避位置に移動可能である。
【００６８】
なお、発明は上記実施形態に制限されるものではなく、発明の精神及び範囲から離脱することなく、様々な変更及び変形が可能である。
【符号の説明】
【００６９】
１  記録システム
２  記録装置
３  読取装置
４１  筐体部
９９  保持部
１００  第一の固定部材
１３０  中継部材
１４０  側面固定部材
１８０  第二の固定部材
【図１】
2020167593.tif 000003
【図２】
2020167593.tif 000004
【図３】
2020167593.tif 000005
【図４】
2020167593.tif 000006
【図５】
2020167593.tif 000007
【図６】
2020167593.tif 000008
【図７】
2020167593.tif 000009
【図８】
2020167593.tif 000010
【図９】
2020167593.tif 000011
【図１０】
2020167593.tif 000012
【図１１】
2020167593.tif 000013
【図１２】
2020167593.tif 000014
【図１３】
2020167593.tif 000015
【図１４】
2020167593.tif 000016
【図１５】
2020167593.tif 000017